(57)【要約】    【課題】  定格ランプ電力０２４〜３００Ｗの高圧放電ランプを顕著に小形化した電子化安定器を用いて点灯する高圧放電ランプ点灯装置およびこれに用いる電子化安定器を提供する。    【解決手段】  高圧放電ランプ点灯装置は、定格ランプ電流１．４〜１．７Ａ、定格ランプ電圧１５０〜２００Ｖおよび定格ランプ電力２４０〜３００Ｗの高圧放電ランプ1と、入力端を交流電源3に接続し、スイッチング素子Q2を有するインバータFBIを内部に含み、入力電圧が２００〜２４２Ｖ、入力電流１．１〜１．７Ａ、無負荷時２次電圧３００Ｖ以下であって、出力端に高圧放電ランプを接続して点灯する電子化点灯回路11および内容積が７００〜１０００ｃｃで内部に電子化点灯回路を収納したケース12を備えた電子安定器2とを具備している。【選択図】図２
2011018569.tif 000002
【特許請求の範囲】
【請求項１】
透光性セラミックス気密容器、透光性セラミックス気密容器の内部両端部に離間対向して封装された一対の電極ならびに発光金属のハロゲン化物、希ガスおよび水銀を含む放電媒体を備え、ランプ電流１．４〜１．７Ａ、定格ランプ電圧１５０〜２００Ｖおよび定格ランプ電力２４０〜３００Ｗの高圧放電ランプを点灯する高圧放電ランプ点灯装置であって；
入力端を交流電源に接続し、スイッチング素子を有するインバータを内部に含み、入力電圧が２００〜２４２Ｖ、安定時入力電流１．１〜１．７Ａ、無負荷時２次電圧３００Ｖ以下であって、出力端に高圧放電ランプを接続して点灯する電子化点灯回路および内容積が７００〜１０００ｃｃで内部に電子化点灯回路を収納したケースを備えた電子安定器；
を具備していることを特徴とする高圧放電ランプ点灯装置。
【請求項２】
入力端を交流電源に接続し、スイッチング素子を有するインバータを内部に含み、入力電圧が２００〜２４２Ｖ、安定時入力電流１．１〜１．７Ａ、無負荷時２次電圧３００Ｖ以下であって、出力端に高圧放電ランプを接続してこれを点灯する電子化点灯回路および内容積が７００〜１０００ｃｃであって、電子化点灯回路を収納したケースを備え、上記高圧放電ランプは、透光性セラミックス気密容器、透光性セラミックス気密容器の内部両端部に離間対向して封装された一対の電極ならびに発光金属のハロゲン化物、希ガスおよび水銀を含む放電媒体を備え、定格ランプ電流１．４〜１．７Ａ、定格ランプ電圧１５０〜２００Ｖおよび定格ランプ電力２４０〜３００Ｗで、かつ定格ランプ電流が等しくてランプ電圧および定格ランプ電力が異なる複数種の高圧放電ランプの中から択一的に選択されたものであることを特徴とする高圧放電ランプ用電子安定器。
【請求項３】
電源投入後１秒未満の間の無負荷時２次電圧が３００Ｖ超であることを特徴とする請求項２記載の高圧放電ランプ用電子安定器。
【発明の詳細な説明】
【技術分野】
【０００１】
本発明は、電子化安定器を用いて透光性セラミックス気密容器を備えた高圧放電ランプを点灯する高圧放電ランプ点灯装置およびこれに用いる高圧放電ランプ用電子安定器に関する。
【背景技術】
【０００２】
透光性セラミックス気密容器を備えた高圧放電ランプは、透光性セラミックス気密容器の耐熱温度が石英ガラスのそれと比較すると高いので、発光管の動作温度を高く設定できるため、高発光効率および高演色性のメタルハライドランプに好適であることが知られている。このため、店舗や体育館などの高品質な照明が要求される主に高天井用途に普及してきている。
【０００３】
また、上記の高圧放電ランプを点灯する安定器は、器具内蔵を可能にするために小形、軽量で、かつ電源電圧フリー、定電力制御、電源投入時の突入電流抑制および電源遮断時のランプ立ち消え防止などの高度の制御機能が要求されることから、電子化安定器が好適である。
【０００４】
さらに、電子化安定器を共通に用いてランプ電力が異なる複数種の高圧放電ランプを択一的に点灯可能にしたランプフリーの高圧放電ランプ点灯装置は既知である（例えば、特許文献１参照。）。高圧放電ランプ点灯装置をランプフリーにすることにより、電子化安定器の品種数を最小限にすることができるので、電子化安定器の設計、製造および物流面において有利であるとともに、照明設計においても都合がよい。
【先行技術文献】
【特許文献】
【０００５】
【特許文献１】特開２００６−３０２８３０号公報
【発明の概要】
【発明が解決しようとする課題】
【０００６】
しかしながら、電子化安定器のさらなる小形、軽量化に対する要求がある。電子化安定器が現状よりさらに小形、軽量化すれば、照明器具の安定器内蔵化が容易になるとともに安価にすることも可能になるので、その用途が拡大する。
【０００７】
また、高圧放電ランプ点灯装置をランプフリーにする場合に、特許文献１記載の従来技術は、放電灯の電気特性を複数の検出手段の組み合わせで検出して、複数の電気特性から放電灯の定格電力を判別していため、制御が複雑になる。また、最大ランプ電力の放電灯に合わせた回路路設計を行う必要があるために、安定器が大型化するばかりか高価になるという課題がある。
【０００８】
電子化点灯回路ではそのパワー回路に使用される電子部品の大きさが主として電流に支配され、電流が同じならランプ電力が変わっても電子化点灯回路の大きさおよび価格に対する影響が少ない。また、高圧放電ランプのランプ電力を一定に維持してランプ電圧およびランプ電流のいずれか一方を増加すれば、他方を減少させる必要があり、一般に、同一種類の高圧放電ランプにおいて、複数種の定格ランプ電力の商品がラインアップされる場合、定格ランプ電圧を等しくて、定格ランプ電流を定格ランプ電力に応じて異なる値に設定している。
【０００９】
本発明は、定格ランプ電力２４０〜３００Ｗの高圧放電ランプを顕著に小形化した電子化安定器を用いて点灯する高圧放電ランプ点灯装置およびこれに用いる電子化安定器を提供することを主な目的とする。
【００１０】
また、本発明は、定格ランプ電力が２４０〜３００Ｗの複数種の高圧放電ランプをランプフリー点灯するのに用いる顕著に小形化した電子化安定器を提供することを他の目的とする。
【課題を解決するための手段】
【００１１】
上記の課題を解決するために、本発明の高圧放電ランプ点灯装置は、定格ランプ電流１．４〜１．７Ａ、定格ランプ電圧１５０〜２００Ｖおよび定格ランプ電力２４０〜３００Ｗの高圧放電ランプを点灯する高圧放電ランプ点灯装置であって；入力端を交流電源に接続し、スイッチング素子を有するインバータを内部に含み、入力電圧が２００〜２４２Ｖ、入力電流１．１〜１．７Ａ、無負荷時２次電圧３００Ｖ以下であって、出力端に高圧放電ランプを接続して点灯する電子化点灯回路および内容積が７００〜１０００ｃｃで内部に電子化点灯回路を収納したケースを備えた電子安定器；を具備していることを特徴としている。
【００１２】
本発明の高圧放電ランプ用電子安定器は、入力端を交流電源に接続し、スイッチング素子を有するインバータを内部に含み、入力電圧が２００〜２４２Ｖ、入力電流１．１〜１．７Ａ、無負荷時２次電圧３００Ｖ以下であって、出力端に高圧放電ランプを接続してこれを点灯する電子化点灯回路および内容積が７００〜１０００ｃｃであって、電子化点灯回路を収納したケースを備え、上記高圧放電ランプは、透光性セラミックス気密容器、透光性セラミックス気密容器の内部両端部に離間対向して封装された一対の電極ならびに発光金属のハロゲン化物、希ガスおよび水銀を含む放電媒体を備え、定格ランプ電流１．１〜１．７Ａ、定格ランプ電圧１５０〜２００Ｖおよび定格ランプ電力２４０〜３００Ｗで、かつ定格ランプ電流が等しくてランプ電圧および定格ランプ電力が異なる複数種の高圧放電ランプの中から択一的に選択されたものであることを特徴としている。
【００１３】
また、本発明の高圧放電ランプ用電子安定器は、上記高圧放電ランプ用電子安定器において、３００Ｖを超える２次開放電圧を１秒未満の間出力することを特徴としている。
【発明の効果】
【００１４】
本発明の高圧放電ランプ点灯装置は、定格ランプ電力２４０〜３００Ｗの高圧放電ランプのランプ電流を１．４〜１．７Ａ、定格ランプ電圧を１５０〜２００Ｖにするとともに、電子化点灯回路を入力電圧が２００〜２４２Ｖ、入力電流１．１〜１．７Ａ、無負荷時２次電圧３００Ｖ以下としたことで、内容積が７００〜１０００ｃｃのケースに収納して小形化された電子安定器で上記高圧放電ランプを点灯することができて、しかも装置全体を小形化できる効果を奏する。
【００１５】
本発明の高圧放電ランプ用電子安定器は、透光性セラミックス気密容器、透光性セラミックス気密容器の内部両端部に離間対向して封装された一対の電極ならびに発光金属のハロゲン化物、希ガスおよび水銀を含む放電媒体を備え、定格ランプ電流１．４〜１．７Ａ、定格ランプ電圧１５０〜２００Ｖおよび定格ランプ電力２４０〜３００Ｗで、かつ定格ランプ電流が等しくてランプ電圧および定格ランプ電力が異なる複数種の高圧放電ランプの中から択一的に選択された高圧放電ランプを、定格ランプ電力２４０〜３００Ｗの高圧放電ランプのランプ電流を１．１〜１．７Ａ、定格ランプ電圧を１５０〜２００Ｖにするとともに、電子化点灯回路を入力電圧が２００〜２４２Ｖ、入力電流１．１〜１．７Ａ、無負荷時２次電圧３００Ｖ以下としたことで、内容積が７００〜１０００ｃｃのケースに収納して小形化された電子安定器を用いてランプフリーに点灯することができる効果を奏する。
【００１６】
また、３００Ｖを超える２次開放電圧を１秒未満の間出力することにより、高圧放電ランプの始動が容易な高圧放電ランプ用電子安定器を提供することができる。
【図面の簡単な説明】
【００１７】
【図１】本発明を実施するための第１の形態に係わる回路ブロック図である。
【図２】本発明を実施するための第２の形態に係わる電子点灯回路の回路図である。
【図３】同じく高圧放電ランプの一例を示す正面図である。
【図４】同じく高圧放電ランプの発光管を示す拡大断面図である。
【発明を実施するための形態】
【００１８】
以下、本発明の実施の形態について説明する。
【００１９】
図１を参照して第１の形態を説明する。本形態において、高圧放電ランプ点灯装置は、高圧放電ランプ１および電子化安定器２を具備している。
【００２０】
高圧放電ランプ１は、定格ランプ電圧が１５０〜２００Ｖ、定格ランプ電流が１．４〜１．７Ａ、定格ランプ電力が２４０〜３００Ｗであり、好適にはメタルハライドランプからなる。本発明において、上記電気特性を満足するための具体的な手段は特段限定されない。しかし、好ましくは気密容器、一対の電極および放電媒体を少なくとも備えている。また、始動性を良好にするために、紫外線エンハンサおよび／または近接導体などの始動補助手段の１種または複数種を適宜配設することができる。
【００２１】
高圧放電ランプ１の定格ランプ電力を２４０〜３００Ｗに規定する理由は、以下のとおりである。すなわち、メタルハライドランプ４００Ｗないし水銀ランプ７００Ｗ同等の光束を得るため、また、定格ランプ電圧を１５０〜２００Ｖ、定格ランプ電流を１．１〜１．７Ａに規定する理由は、小さいランプ電流で定格ランプ電力を投入するためである。ランプ電圧およびランプ電流が上記の範囲内であれば、後述するように小形化された電子化安定器を用いて高圧放電ランプを点灯することが可能である。
【００２２】
気密容器は、好適には透光性セラミックス気密容器である。透光性セラミックス気密容器は、耐熱温度が石英ガラスより高いので、動作温度を高く設定することができ、その結果発光効率および演色性が向上して所望の発光特性を得ることが容易になる。また、一体成形の透光性セラミックス気密容器を用いることにより、気密容器の熱容量が小さくなって光束立ち上がり特性が良好になる。
【００２３】
一対の電極は、透光性セラミックス気密容器の両端内部に封装されていて、放電生起手段として機能するが、タングステンを主成分とする既知の構成であることを許容する。なお、上述のようにランプ電圧を高くするためには、一対の電極の先端間に形成される電極間距離をなるべく大きくするのが好ましい。この場合、透光性セラミックス気密容器も細長くして管軸方向の長さを大きくした構成を採用すると効果的である。
【００２４】
放電媒体は、高圧放電ランプがメタルハライドランプの場合、ランプ電圧形成媒体、発光金属のハロゲン化物および希ガスを含んでいる。ランプ電圧形成媒体としては、水銀が好適である。水銀は、蒸気圧が高いからランプ電圧を高くするのに効果的である。発光金属のハロゲン化物は、既知のハロゲン化物を適宜採用することができるが、好ましくは希土類金属のハロゲン化物を主成分として含むのが好ましい。また、希土類金属の中でもツリウム（Ｔｍ）およびホルミウム（Ｈｏ）は、発光効率が高いとともにランプ電圧を高める作用があるので、特に好適である。希ガスは、始動ガスとしてアルゴン（Ａｒ）、クリプトン（Ｋｒ）およびキセノン（Ｘｅ）などの希ガスを適宜選択し、かつ適宜の圧力で封入することができる。
【００２５】
電子化安定器２は、電子化点灯回路１１およびケース１２を備えている。
【００２６】
電子化点灯回路１１は、スイッチング素子を有するインバータを含み、入力端を交流電源３に接続し、出力端に高圧放電ランプ１を接続してこれを点灯する。インバータは、直流−交流変換回路であるから、その入力端に直流電圧を印加して、交流電圧を出力する。この場合、交流電源３の電圧を直流に変換する回路手段が必要になる。また、インバータの回路方式は、特段限定されないが、好ましくはフルブリッジ形インバータである。
【００２７】
電子化点灯回路１１に入力する交流を直流に変換するために、整流化直流電源をインバータの前段に接続して配設ことができる。また、交流電源電圧の如何にかかわらず高圧放電ランプ１が要求する所望電圧の交流を出力するために、直流電源とインバータの間に直流−直流変換回路を介在させることができる。これにより電子化安定器２を電源電圧２００Ｖおよび２４２Ｖの電圧フリータイプにすることができる。
【００２８】
また、電子化安定器２は、高圧放電ランプ１の始動時に始動用高電圧を高圧放電ランプ１に印加して始動を容易にするために、イグナイタを内部に配設することができる。
【００２９】
電子化安定器２の入力電圧を２００〜２４２Ｖに規定する理由は、ランプ電力２４０〜３００Ｗの高圧放電ランプ１を用いる施設は、主に電源電圧２００Ｖまたは２４２Ｖの商用交流電源３を導入しているからである。
【００３０】
電子化安定器２の無負荷時２次電圧は、３００Ｖ以下であるが、１秒未満の間３００Ｖを超えるように構成すれば、安全を図りながら高圧放電ランプ１の始動が一層容易になる。なお、上記無負荷時２次電圧の下限値は、設計上の配慮によって高圧放電ランプ１が安定に点灯して不所望に立ち消えを起こさない範囲に設定されていればよいので、特段限定されない。
【００３１】
ケース１２は、その内部に電子化点灯回路１１を収容する手段であるが、内容積が７００〜１０００ｃｃである。この内容積は、定格ランプ電力２４０〜３００Ｗの高圧放電ランプ１を点灯する電子化安定器１のケースとしては極めて小さいものである。しかしながら、内容積が７００ｃｃ未満になると、前記電子化点灯回路１１を収容することが困難になる。また、１０００ｃｃを超えると、電子化点灯回路１１の収容に問題はないが、小形化の利点が得られにくくなる。好適には公称ランプ電力２５０Ｗの高圧放電ランプ用としては７５０〜８５０ｃｃである。また、公称ランプ電力３００Ｗの高圧放電ランプ用としては８５０〜９５０ｃｃである。したがって、公称２５０Ｗおよび３００Ｗの高圧放電ランプに対してランプフリーの電子化安定器としては、８５０〜９５０ｃｃが好適な範囲である。
【００３２】
次に、図２ないし図４を参照して本発明を実施するための第２の形態について説明する。  本形態において、電子化点灯回路１１は、図２に示すように、整流化直流電源ＲＤＣ、昇圧チョッパＢＵＣ、降圧チョッパＳＤＣ、フルブリッジ形インバータＦＢＩおよび制御手段ＣＣを備えて構成されている。
【００３３】
整流化直流電源ＲＤＣは、全波整流回路からなり、交流入力端が電子化点灯回路１１の入力端として機能し、交流電源３に接続する。直流出力端は、後述する昇圧チョッパＢＵＣの入力端に非平滑の直流電圧を供給する。
【００３４】
昇圧チョッパＢＵＣは、インダクタＬ１、スイッチング素子Ｑ１、フリーホイールダイオードＤ１および平滑コンデンサＣ１からなる。そして、インダクタＬ１およびスイッチング素子Ｑ１の直列回路が整流化直流電源ＲＤＣの出力端に接続し、フリーホイールダイオードＤ１および平滑コンデンサＣ１の直列回路がスイッチング素子Ｑ１に並列接続している。平滑コンデンサＣ１の両端に昇圧され、かつ高調波が除去された直流電圧を出力する。
【００３５】
降圧チョッパＳＤＣは、スイッチング素子Ｑ２、フリーホイールダイオードＤ２、インダクタＬ２およびコンデンサＣ２からなる。そして、スイッチング素子Ｑ２およびフリーホイールダイオードＤ２の直列回路が昇圧チョッパＢＵＣの出力端に接続し、インダクタＬ２およびコンデンサＣ２の直列回路がフリーホイールダイオードＤ２に並列接続している。コンデンサＣ２の両端に所望に降圧された直流電圧を出力する。
【００３６】
フルブリッジ形インバータＦＢＩは、４つのスイッチング素子Ｑ３−Ｑ５がフルブリッジを構成して接続し、スイッチング素子Ｑ３およびＱ４とＱ５およびＱ６がそれぞれ順方向に接続した一対の直列回路の並列接続部が入力端となって降圧チョッパＳＤＣの出力端に接続している。また、スイッチング素子Ｑ３およびＱ４の接続点とＱ５およびＱ６の接続点とが出力端となる。
【００３７】
制御手段ＣＣは、第１の制御手段ＣＣ１、第２の制御手段ＣＣ２および第３の制御手段ＣＣ３からなる。なお、以下説明の便宜上、制御手段ＣＣが第１ないし第３の制御手段に別れているように説明するが、実際には所望により単一のディジタルデバイス、例えばマイコンを用いて上述の制御を行うように構成することができる。
【００３８】
第１の制御手段ＣＣ１は、昇圧チョッパＢＵＣの制御手段であり、主としてスイッチング素子Ｑ１の制御された駆動信号を発生する。第２の制御手段ＣＣ２は、降圧チョッパＳＤＣの制御手段であり、主としてスイッチング素子Ｑ２の制御された駆動信号を発生する。第３の制御手段ＣＣ３は、フルブリッジインバータＦＢＩの制御手段であり、主としてスイッチング素子Ｑ３−Ｑ６の制御された駆動信号を発生する。
【００３９】
また、制御手段ＣＣ、例えば第２の制御手段ＣＣ２は、高圧放電ランプ１の定格ランプ電圧付近において定電力特性を呈するように降圧チョッパＳＤＣを制御するように構成することができる。電子化安定器２を複数種の高圧放電ランプ１に対してランプフリーに構成する場合、それぞれの高圧放電ランプ１の定格ランプ電圧付近に定電力特性を呈するように構成すればよい。
【００４０】
さらに、電子化安定器２をランプフリーに構成する場合、制御手段ＣＣは、安全回路としてそれぞれの高圧放電ランプ１に対する異常電圧検出機能を備えているように構成することができる。例えば、定格ランプ電圧が１５０Ｖの高圧放電ランプ１に対しては、９０Ｖ以下および１９０Ｖ以上を異常と判定する閾値に設定する。また、定格ランプ電圧２００Ｖの高圧放電ランプ１に対しては、１６０Ｖ以下および２４０Ｖ以上を異常と判定する閾値に設定する。そして、電子化安定器２に接続した高圧放電ランプ１の定格ランプ電圧を制御手段ＣＣで判別する手段を備えておき、定格ランプ電圧に応じた閾値を基に高圧放電ランプ１の異常判定を行う。
【００４１】
高圧放電ランプ１は、フルブリッジ形インバータＦＢＩの出力端間に接続する。また、イグナイタＩＧが高圧放電ランプ１の始動時に始動用高電圧を高圧放電ランプ１に印加するようにフルブリッジ形インバータＦＢＩおよび高圧放電ランプ１の間に接続している。
【００４２】
高圧放電ランプ１は、図３に示すように、発光管ＩＴ、紫外線エンハンサＵＶＥ、シュラウドガラスＳＧ、外管ＯＧおよび口金Ｂを備えて構成されている。
【００４３】
発光管ＩＴは、図４に示すように、透光性セラミックス気密容器２１、電極２２、電流導入導体２３、封止部２４および放電媒体を備えて構成されている。
【００４４】
透光性セラミックス気密容器２１は、透光性多結晶アルミナセラミックスを一体成形して形成されている。そして、細長い俵形をなしている包囲部２１ａおよびその両端から管軸方向に延在する一対の小径筒部２１ｂ、２１ｂが連続的な曲面を介して接続して一体に形成されている。
【００４５】
電極２２は、その一対がそれぞれ電極軸部２２ａ、電極コイル部２２ｂおよび電極マウントサブコイル部２２ｃからなり、透光性セラミックス気密容器２１の一対の小径筒部２１ｂ、２１ｂ内に挿通され、先端の電極コイル部２２ｂが包囲部２１ａ内に臨んでいる。そして、一対の電極２２、２２が比較的大きな電極間距離を介して離間対向して配置されている。なお、電極マウントサブコイル部２２ｃは、電極軸部２２ａの周囲に巻回されるだけでなく、後述する電流導入導体２３の耐ハロゲン化物部分の周囲にわたって巻回することができる。
【００４６】
電流導入導体２３は、その一対の先端部が透光性セラミックス気密容器２１の一対の小径筒部２１ｂ、２１ｂ内にそれぞれ挿通され、先端に電極軸部２２ａの基端を溶接している。また、基端が小径筒部２１ｂの端面から外部へ露出している。なお、電流導入導体２３は、基端側が例えばニオブからなる封着性部分で、先端側が例えばモリブデンからなる耐ハロゲン化物部分の直列接合体によって構成することができる。
【００４７】
封止部２４は、電流導入導体２３との協働によって透光性セラミックス気密容器２１を封止している。本形態において、封止部２４は、フリットガラスからなり、電流導入導体２３の封着性部分と小径筒部２１ｂとの間に溶融状態で進入し、かつ封着性部分が小径筒部２１ｂ内で露出しないように被覆して透光性セラミックス気密容器２１を封止している。
【００４８】
放電媒体は、水銀、発光金属、例えばツリウムおよびナトリウムのハロゲン化物ならびにアルゴンからなり、透光性セラミックス気密容器２１内に適量封入されている。
【００４９】
紫外線エンハンサＵＶＥは、気密容器、導入線、内部電極、放電媒体および外部電極を具備して構成されていて、発光管ＩＴに並列接続している。放電媒体は、低圧の例えばアルゴンである。
【００５０】
シュラウドガラスＳＧは、円筒状石英ガラス体からなり、発光管ＩＴを包囲して発光管ＩＴの破裂時の飛散防止機能を担当する。
【００５１】
外管２４は、例えば硬質ガラスからなるＴ形バルブ形状であり、その内部の所定位置に発光管ＩＴ、紫外線エンハンサＵＶＥおよびシュラウドガラスＳＧが配置された状態で、これらの要素を包囲している。
【００５２】
口金２５は、Ｅ３９形口金であり、外管ＯＴのネック部に固着され、外管ＯＴから外部へ露出した図示しない一対の導入線の一方がシェル部に、他方がセンターコンタクトに、それぞれ接続している。
【実施例１】
【００５３】
図３に示す金属蒸気放電ランプおよび図２に示す電子化安定器である。
【００５４】
金属蒸気放電ランプ：ランプ電圧200V、ランプ電流1.5A、ランプ電力290W
電子化安定器：定格電圧、      入力電流（A）      ２次電圧  消費電力  内容積
（V）  無負荷時  始動時  安定時      （V）    （W）    （cc）
200      −        −    1.7          200      300      950
242      −        −    1.4          200      300      950
【実施例２】
【００５５】
図３に示す金属蒸気放電ランプおよび図２に示す電子化安定器である。
【００５６】
金属蒸気放電ランプ：ランプ電圧163V、ランプ電流1.5A、ランプ電力245W
電子化安定器：定格電圧、      入力電流（A）      ２次電圧  消費電力  内容積
（V）  無負荷時  始動時  安定時      （V）    （W）    （cc）
200    −        −    1.4          163      245      850
242    −        −    1.1          163      245      850
［比較例１］
金属蒸気放電ランプ：ランプ電圧100V、ランプ電流2.45A、ランプ電力245W
電子化安定器：定格電圧、      入力電流（A）      ２次電圧  消費電力  内容積
（V）  無負荷時  始動時  安定時    （V）    （W）    （cc）
200  1.36以下  1.36以下  1.36        300      270      3500
242  1.14以下  1.14以下  1.14        300      268      3500
［比較例２］
金属蒸気放電ランプ：ランプ電圧100V、ランプ電流1.5A、ランプ電力150W
電子化安定器：定格電圧、      入力電流（A）      ２次電圧  消費電力  内容積
（V）  無負荷時  始動時  安定時      （V）    （W）    （cc）
200      −      −    1.7          300      165      1000
242      −      −    1.4          300      164      1000
【符号の説明】
【００５７】
１…高圧放電ランプ、２…電子化安定器、３…交流電源、１１…電子化点灯回路、１２…ケース、２１…透光性セラミックス気密容器、２２…電極、２３…電流導入導体、２４…封止部、ＢＵＣ…昇圧チョッパ、ＦＢＩ…フルブリッジ形インバータ、ＲＤＣ…整流化直流電源、ＳＤＣ…降圧チョッパ
【図１】
2011018569.tif 000003
【図２】
2011018569.tif 000004
【図３】
2011018569.tif 000005
【図４】
2011018569.tif 000006